(57)【要約】【課題】主索の綱車への巻き掛け角度や方向、巻上機の種類に因らず、簡易な作業で取り付けが可能なエレベータの主索外れ装置を提供する。【解決手段】回転体１と、回転体１に設けられた主索溝２と、２主索溝に巻き掛けられた主索３と、回転体１と互いに摺動自在に係合する一対の取付部材６と、一対の取付部材６の自由端間に固定され、回転体１の主索溝２から解放されて延びる主索３を張設方向に摺動自在に案内し、張設方向との直交方向への主索３のぶれを抑制し、主索３が主索溝２から外れることを抑制する主索抑制部材７とを備える。【選択図】図２
2008007215.tif 000002
【特許請求の範囲】
【請求項１】
回転体と、
前記回転体に設けられた主索溝と、
前記主索溝に巻き掛けられた主索と、
前記回転体と互いに摺動自在に係合する一対の取付部材と、
前記一対の取付部材の自由端間に固定され、前記回転体の前記主索溝から解放されて延びる前記主索を張設方向に摺動自在に案内し、張設方向との直交方向への前記主索のぶれを抑制し、前記主索が前記主索溝から外れることを抑制する主索抑制部材と、
を備えたことを特徴とするエレベータ用主索外れ止め装置。
【請求項２】
回転体に摺動溝を設け、前記摺動溝に一対の取付部材に設けられた突起部が摺動自在に係合することを特徴とする請求項１記載のエレベータ用主索外れ止め装置。
【請求項３】
回転体に段差を設け、前記段差に一対の取付部材に設けられた突起部が摺動自在に係合することを特徴とする請求項１記載のエレベータ用主索外れ止め装置。
【請求項４】
回転体に摺動溝を設け、前記摺動溝に一対の取付部材に設けられたローラが摺動自在に係合することを特徴とする請求項１記載のエレベータ用主索外れ止め装置。
【請求項５】
主索抑制部材に孔を形成し、前記孔に主索が案内されていることを特徴とする請求項１〜請求項４のいずれかに記載のエレベータ用主索外れ止め装置。
【請求項６】
主索抑制部材は、溝が形成された抑制基台と抑制カバーとで構成され、互いの前記溝で形成された孔に主索が案内されていることを特徴とする請求項１〜請求項４のいずれかに記載のエレベータ用主索外れ止め装置。
【請求項７】
主索抑制部材は、外周面に溝が形成されたローラを有する抑制基台と抑制カバーで構成され、互いの前記溝で形成された空隙に主索が案内されていることを特徴とする請求項１〜請求項４のいずれかに記載のエレベータ用主索外れ止め装置。
【発明の詳細な説明】
【技術分野】
【０００１】
この発明は、エレベータ用主索外れ止め装置に関するものである。
【背景技術】
【０００２】
一般に、トラクション式エレベータの巻上機では、綱車に巻き掛けられた主索を綱車からの摩擦力によって駆動することで、主索の一端に吊持されたかごを昇降させるようになっている。綱車には主索を巻き掛ける主索溝が設けられており、地震等の振動の影響で主索溝から主索が外れ出ることを防止するため、主索外れ止め装置が、主索との間隔を規定値以下になるように調整され、巻上機本体等の静止部に設置されている。
【０００３】
従来技術として、綱車に掛け回された主索を横切るように主索規制部材を配置し、その主索規制部材によって主索が綱車から外れ出る動きを防止するものが提案されている（例えば、特許文献１参照）。
【０００４】
【特許文献１】特開２００１−３３５２６５号公報
【発明の開示】
【発明が解決しようとする課題】
【０００５】
従来のエレベータ用主索外れ止め装置は、巻上機本体等の静止部に設置されるため、主索の巻き掛け角度や方向が変わると主索外れ止め装置の設置位置、方法あるいは形状を変える必要があった。また、巻上機の種類毎に対応するために、主索外れ止め装置の構造、形状が異なるものとなっていた。さらに、主索が主索溝から外れることを防止するために、主索外れ止め装置と主索との間隔を規定値以下になるようにする必要があるため、主索外れ止め装置の設置の調整に時間がかかり、煩雑な作業を要するという問題があった。
【０００６】
この発明は、上述のような課題を解決するためになされたもので、その目的は、主索の綱車への巻き掛け角度や方向、巻上機の種類に因らず、簡易な作業で設置が可能なエレベータ用主索外れ装置を提供することである。
【課題を解決するための手段】
【０００７】
この発明に係るエレベータ用主索外れ止め装置は、回転体と、前記回転体に設けられた主索溝と、前記主索溝に巻き掛けられた主索と、前記回転体と互いに摺動自在に係合する一対の取付部材と、前記一対の取付部材の自由端間に固定され、前記回転体の前記主索溝から解放されて延びる前記主索を張設方向に摺動自在に案内し、張設方向との直交方向への前記主索のぶれを抑制し、前記主索が前記主索溝から外れることを抑制する主索抑制部材とを備えたものである。
【発明の効果】
【０００８】
この発明は、回転体と、前記回転体に設けられた主索溝と、前記主索溝に巻き掛けられた主索と、前記回転体と互いに摺動自在に係合する一対の取付部材と、前記一対の取付部材の自由端間に固定され、前記回転体の前記主索溝から解放されて延びる前記主索を張設方向に摺動自在に案内し、張設方向との直交方向への前記主索のぶれを抑制し、前記主索が前記主索溝から外れることを抑制する主索抑制部材とを備える構成としたことで、主索の綱車への巻き掛け角度や方向、巻上機の種類に因らず、簡易な作業で取り付けが可能なエレベータ用主索外れ止め装置を提供することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１を示すエレベータ用主索外れ止め装置を示す正面図、図２は図１のＡ−Ａ線における断面図である。
【００１１】
図において、エレベータの巻上機（図示せず）に回転可能に設置される綱車からなる回転体１の外周面には、Ｕ字状の主索溝２が設けられ、回転体１上部において主索溝２に主索３が巻き掛けられている。回転体１に設けられた主索溝２から解放された主索３の一端は、鉛直方向にかご（図示せず）を吊持し、他端は、下方へ回転体１から離れる方向へ傾斜し、そらせ車（図示せず）に巻き掛けられ、鉛直方向につり合いおもり（図示せず）を吊持している。主索３は、回転体１からの摩擦力によって図１の矢印方向に駆動され、主索３に吊持されたかごを昇降させる。
【００１２】
この発明の主索外れ止め装置の一方は、回転体１の一側部において、回転体１両面の摺動溝４にそれぞれ摺動自在に係合するピンからなる突起部５を有する一対の取付部材６と、この一対の取付部材６の自由端間に固定され、主索溝２から解放されて鉛直方向に下向きに延びる主索３を案内する主索抑制部材７から構成されている。また、この発明の主索外れ止め装置の他方は、回転体１の他側部において、回転体１両面の摺動溝４にそれぞれ摺動自在に係合するピンからなる突起部５を有する一対の取付部材６と、この一対の取付部材６の自由端間に固定され、主索溝２から解放されて回転体１から離れる方向へ傾斜し下向きに延びる主索３を案内する主索抑制部材７から構成されている。
【００１３】
主索抑制部材７は、抑制基台８と抑制カバー９との二部材構成であり、その内側面には、主索３の各々半分を収容する半円状の溝１０が主索３の張設方向と平行に形成されており、この各々の半円状の溝１０を対向させて形成された孔１１に、主索３が張設方向に摺動自在に案内されている。また、孔１１の中心軸は、回転体１の主索溝２の中心線と同一面上に在り、張設方向との直交方向への主索３のぶれを抑制している。
【００１４】
エレベータの通常運転時において、突起部５は、回転体１両面の摺動溝４に摺動自在に係合されており、主索３は、主索抑制部材７に形成された孔１１に張設方向に摺動自在に案内されるため、回転体１が回転して主索３が巻き上げられても、主索外れ止め装置は、回転体１及び主索３の動作に追従することなく、運転前と同位置に留まる。なお、孔１１の中心軸は、回転体１の主索溝２の中心線と同一面上に在り、張設方向との直交方向への主索３のぶれを抑制しているため、地震等による振動の発生時においても主索３が回転体１の主索溝２を乗り上げることはない。
【００１５】
このように構成された主索外れ止め装置は、設置時において、突起部５及び取付部材６を介して抑制基台８が回転体１の下部に係合された後、主索３が主索溝２に沿って回転体１の上部に巻き掛けられる。その後、抑制基台８の溝１０が主索３の張設方向と平行になるまで、突起部５を回転体１両面の摺動溝４に沿って摺動させる。即ち、抑制基台８の溝１０に主索３の半分が収容される。最後に、溝１０を互いに対向させて抑制基台８と抑制カバー９を固定し、主索外れ止め装置の設置が完了する。
【００１６】
このため、主索３を回転体１に巻き掛ける前に孔１１に主索３を案内させておく必要がなく、主索３の回転体１への巻き掛け角度や方向、巻上機の種類に因らず、簡易な作業で設置でき、主索３との間隔を規定値以下になるように調整しながら主索外れ止め装置の設置を行う煩雑な作業も要しない。
【００１７】
なお、実施の形態１では、回転体１両面に形成された環状の摺動溝４に、主索外れ止め装置の一対の突起部５が摺動自在に係合されているが、回転体１両面に環状の突起を形成し、この突起に対応する凹没した円弧状の溝を取付部材６に形成して、互いに摺動自在に係合してもよい。
【００１８】
実施の形態２．
図３は、この発明の実施の形態２を示す図２相当図である。
実施の形態１では、回転体１両面に形成された環状の摺動溝４に、主索外れ止め装置の一対の突起部５が摺動自在に係合されているが、図のように、回転体１両面に形成された環状の段差１２に突起部５を係合させてもよい。
【００１９】
この場合、エレベータの通常運転時において、突起部５は、回転体１両面の段差１２に摺動自在に係合されており、主索３は、主索抑制部材７に形成された孔１１に張設方向に摺動自在に案内されるため、回転体１が回転して主索３が巻き上げられても、主索外れ止め装置は、回転体１及び主索３の動作に追従することなく、運転前と同位置に留まる。なお、孔１１の中心軸は、回転体１の主索溝２の中心線と同一面上に在り、張設方向との直交方向への主索３のぶれを抑制しているため、地震等による振動の発生時においても主索３が回転体１の主索溝２を乗り上げることはない。また、主索３を回転体１に巻き掛ける前に孔１１に主索３を案内させておく必要がなく、主索３の回転体１への巻き掛け角度や方向、巻上機の種類に因らず、簡易な作業で設置でき、主索３との間隔を規定値以下になるように調整しながら主索外れ止め装置の設置を行う煩雑な作業も要しない。
【００２０】
実施の形態３．
図４は、この発明の実施の形態３を示す図２相当図である。図において、発明の主索外れ止め装置は、回転体１両面の摺動溝４にそれぞれ摺動自在に係合し、回転体１の回転軸と平行な軸を中心に回転可能なローラ１３を有する一対の取付部材６と、この一対の取付部材６の自由端間に固定され、主索溝２から解放されて延びる主索３を案内する主索抑制部材７から構成されている。主索抑制部材７は、外周面にＵ字状の溝１４が形成され、回転体１の回転軸と平行な軸を中心に回転可能なローラ１５を有する抑制基台８と抑制カバー９との二部材構成であり、この各々のＵ字状の溝１４で形成された空隙に、主索３が張設方向に摺動自在に案内されている。また、各々の溝１４の中心線は、回転体１の主索溝２の中心線と同一面上に在り、張設方向との直交方向への主索３のぶれを抑制する空隙を形成している。
【００２１】
この場合、エレベータの通常運転時において、ローラ１３は、回転体１両面の摺動溝４に摺動自在に係合されており、主索３は、抑制基台８と抑制カバー９のローラ１５の溝１４により形成された空隙に張設方向に摺動自在に案内されるため、回転体１が回転して主索３が巻き上げられても、主索外れ止め装置は、回転体１及び主索３の動作に追従することなく、運転前と同位置に留まる。なお、各々の溝１４の中心線は、回転体１の主索溝２の中心線と同一面上に在り、主索３の張設方向との直交方向へのぶれを抑制しているため、地震等による振動の発生時においても主索３が回転体１の主索溝２を乗り上げることはない。また、主索３を回転体１に巻き掛ける前に各々の溝１４で形成された空隙に主索３を案内させておく必要がなく、主索３の回転体１への巻き掛け角度や方向、巻上機の種類に因らず、簡易な作業で設置でき、主索３との間隔を規定値以下になるように調整しながら主索外れ止め装置の設置を行う煩雑な作業も要しない。
【００２２】
また、一対の取付部材６に設けられた回転体１の回転軸と平行な軸を中心に回転可能なローラ１３の外周面が、回転する摺動溝４の側面に接触すると、ローラ１３も回転する。従って、実施の形態１、実施の形態２と比較して、主索外れ止め装置の係合部及び回転体１両面の摺動溝４の磨耗を低減できる。さらに、抑制基台８と抑制カバー９には、主索３を案内させるための空隙を形成する溝１４を外周面に持つローラ１５が回転体１の回転軸と平行な軸を中心に回転可能に設けられているため、回転体１の回転による主索３の巻き上げ時に、主索３の外周面と溝１４が接触するとローラ１５も回転する。従って、実施の形態１、実施の形態２と比較して、主索外れ止め装置の主索抑制部材７及び主索３の磨耗を低減できる。
【００２３】
なお、上記実施の形態では、１：１ローピングの場合の綱車からなる回転体１を例として詳細な説明を行ったが、ローピングの方式を問わず、また綱車に限らず、そらせ車、吊り車等、エレベータのあらゆる回転体の主索外れ止め装置に適応できるのは明らかである。
【図面の簡単な説明】
【００２４】
【図１】この発明の実施の形態１を示すエレベータの主索外れ止め装置を示す正面図である。
【図２】図１のＡ−Ａ線における断面図である。
【図３】この発明の実施の形態２を示す図２相当図である。
【図４】この発明の実施の形態３を示す図２相当図である。
【符号の説明】
【００２５】
１  回転体
２  主索溝
３  主索
４  摺動溝
５  突起部
６  取付部材
７  主索抑制部材
８  抑制基台
９  抑制カバー
１０  溝
１１  孔
１２  段差
１３  ローラ
１４  溝
１５  ローラ
【図１】
2008007215.tif 000003
【図２】
2008007215.tif 000004
【図３】
2008007215.tif 000005
【図４】
2008007215.tif 000006